(57)【特許請求の範囲】
【請求項１】
支柱に対し略垂直をなす角度に延びるように取り付けられる横部材を、前記支柱に固定するための組立棚用固定装置であって、
前記横部材を前記支柱の側面に取り付けるための取付部材と、
前記横部材を前記支柱に固定するため、前記横部材とともに前記支柱を挟み込む固定部材とを有し、
前記取付部材は、前記支柱に取り付けられたとき、中央部分が前記支柱の略半周を囲むとともに両端部分が前記支柱に対して突出する形状に形成され、
前記両端部分に前記横部材を前記支柱の側面に取り付けるための横部材取付部が形成されるとともに、
前記中央部分に前記固定部材を締着するための固定部材締着部が形成され、
当該固定部材及び固定部材締着部は、前記固定部材が前記固定部材締着部に締着された状態で、前記固定部材の先端が前記支柱の側面に押し当たるように形成されており、前記横部材取付部は、上方が開口した状態で高さ方向に沿って形成された溝部であり、その溝部における取付部材端部側周縁部が前記固定部材による押し当てにより前記横部材に圧接することを特徴とする組立棚用固定装置。
【請求項２】
請求項１記載の組立棚用固定装置において、
前記固定部材締着部は、雌ねじ孔であり、かつ、前記固定部材は、前記雌ねじ孔に螺入されて先端が前記支柱の側面に当接することにより、前記横部材とともに前記支柱を挟み込むおねじ部材であることを特徴とする組立棚用固定装置。
【請求項３】
請求項１または２に記載の組立棚用固定装置において、
前記取付部材には、前記支柱の側面の一部に圧接することにより、前記取付部材を前記支柱に仮止めするための仮止部が形成されたことを特徴とする組立棚用固定装置。
【請求項４】
請求項１〜３のいずれか１項に記載の組立棚用固定装置を用いた組立棚であって、
前記取付部材の横部材取付部に前記横部材が取り付けられるとともに前記取付部材の固定部材締着部に前記固定部材が締着することによって前記固定部材と前記横部材とで前記支柱を挟み込むことにより、前記横部材が前記支柱に対して固定されたことを特徴とする組立棚。
【請求項５】
請求項４記載の組立棚であって、
前記横部材と前記支柱の側面との間にシート材が挟持されることにより、当該シート材が前記支柱に対し固定されたことを特徴とする組立棚。
【請求項６】
請求項４記載の組立棚において、
前記横部材の上端に横枠を構成するための枠材が載せられていることを特徴とする組立棚。
【発明の詳細な説明】
【技術分野】
【０００１】
本発明は、組立棚及び組立棚に使用する組立棚用固定装置に関するものである。
【背景技術】
【０００２】
従来、水耕栽培等を行うために使用する組立棚としては、例えば図１６に示したものが存在する。
【０００３】
この組立棚１００は、支柱１０１と、この支柱１０１に対して略垂直方向に延設され、この支柱１０１の上端部分同士を接続する上端枠１０２とを備え、これらの部材は接続部材１０２ａを介して接続されている。さらに、上端枠１０２より若干下方には、上端枠１０２と同様、この支柱１０１に対して略垂直方向に延設されるとともに、支柱１０１の外側面にビス止めされることで支柱１０１同士を接続するビニペット１０３が備えられている。ビニペット１０３は、略四角柱の形状の形成され、その側面のうち、支柱１０１と接触しない方、すなわち外側面には、スプリング１０４を嵌着させるためのスプリング嵌着部１０３ａが凹設されている。そして、上端枠１０２の間に位置する水耕栽培用シート１０５を弛ませた状態で、上端枠１０２及び支柱１０１の外側面及びビニペット１０３を覆うように水耕栽培用シート１０５を配設し、水耕栽培用シート１０５の端部付近をスプリング嵌着部１０３ａの中に入れ、その状態でスプリング嵌着部１０３ａにスプリング１０４を嵌着させることにより、水耕栽培用シート１０５を組立棚１００に固定する。
【０００４】
しかしながら、組立棚１００を用いた場合、水耕栽培用シート１０５は、支柱１０１の外側面を覆う状態で配置されるため、この外側面を覆う状態で配置するためには、水耕栽培用シート１０５は必ず支柱１０１の上端も覆うように設置する必要がある。したがって、組立棚１００の上端部にだけ水耕栽培用シート１０５が配置され、複数段にわたって水耕栽培用シート１０５を配置することができず、スペースを有効活用することが出来ない。
【０００５】
このような課題を解決する構造としては、例えば、図１７、図１８に示すように、横部材１１３を支柱１０１の内側面側に配置し、この横部材１１３を取付部材１０６を用いて支柱１０１に取り付けるものが存在する（特許文献１）。
【０００６】
この構造は、横部材１１３を支柱１０１に取り付けるために、取付部材１０６と、溝部１０７と、バネ材１０８とを備えている。取付部材１０６は、平面視において略Ｕ字型を成しており、この取付部材１０６の両端部近傍には、横部材１１３を嵌着すべく、上方に向けて開口し、かつ、上下方向に延びるように形成された溝部１０７が、夫々形成されている。図１７〜図１９に図示するように、バネ材１０８は、端部が交差する閉ループ状になるように湾曲された本体部１０８ａと、それらの両端の余長部を所定長さだけ下方に延びるように形成した圧入部１０８ｂとを備えている。
【０００７】
そして、取付部材１０６の中央部分１０６ａ（Ｕ字の下端に位置する部分）を支柱１０１の外側面に接触させるとともに、取付部材１０６の両端部１０６ｂ、１０６ｂが支柱１０１よりも組立棚１００の内部に配置されるように、取付部材１０６を支柱１０１に配置し、支柱１０１の溝部１０７に横部材１１３を挿入し、この横部材１１３と支柱１０１との間に形成された隙間１０９に、バネ材１０８の本体部１０８ａを楕円状に変形させた状態で圧入部１０８ｂを挿入し、この本体部１０８ａの復元力を利用して横部材１１３を溝部１０７の内側面１０７ａに押し付け、これに伴い取付部材１０６の中央部が支柱１０１の外側面に押し付けられることにより、取付部材１０６は支柱１０１に対し固定され、横部材１１３は取付部材１０６に固定される。すなわち、バネ材１０８を用いて、取付部材１０６及び横部材１１３を支柱１０１に対し固定している。
【０００８】
このような構造を採れば、溝部１０７の内側面１０７ａと横部材１１３との間に前記水耕栽培用シート１０５を挟み込ませ、取付部材１０６とバネ材１０８との間、すなわち、取付部材１０６の端部１０６ｂの上面を水耕栽培用シート１０５で覆った状態で水耕栽培用シート１０５を配置することにより、支柱１０１の外側を覆うことなく水耕栽培用シート１０５を配置することが出来る。したがって、水耕栽培用シート１０５を支柱１０１の上端面に配置する必要はなく、この取付部材１０６及び溝部１０７を高さを違えて複数個支柱１０１に設置することにより、水耕栽培用シート１０５を複数段に亘って設置することが可能となる。
【特許文献１】特許３２３４５６１号公報
【発明の開示】
【発明が解決しようとする課題】
【０００９】
前記の構造を採った場合、支柱１０１と取付部材１０６との固定は、取付部材１０６の中央部分１０６ａが支柱１０１の外側面に押し付けられる、すなわち一方向からの押し付けから発生する摩擦力によってのみ行われているため、取付部材１０６と支柱１０１との固定力が不足する場合があり、それに伴い取付部材１０６と横部材１１３との固定力も不足し、取付部材１０６と横部材１１３との固定力をさらに強化することが求められていた。
【００１０】
そこで本発明は、横部材を支柱の側面に固定するための組立棚用固定装置において、より固定力を強化したものを提供することを目的とするとともに、この組立棚用固定装置を用いた組立棚を提供することで、横部材と支柱との固定力をより強化した状態で、横部材を支柱の側面に固定した組立棚を提供することを目的とする。
【課題を解決するための手段】
【００１１】
請求項１記載の発明は、支柱に対し略垂直をなす角度に延びるように取り付けられる横部材を、前記支柱に固定するための組立棚用固定装置であって、前記横部材を前記支柱の側面に取り付けるための取付部材と、前記横部材を前記支柱に固定するため、前記横部材とともに前記支柱を挟み込む固定部材とを有し、前記取付部材は、前記支柱に取り付けられたとき、中央部分が前記支柱の略半周を囲むとともに両端部分が前記支柱に対して突出する形状に形成され、前記両端部分に前記横部材を前記支柱の側面に取り付けるための横部材取付部が形成されるとともに、前記中央部分に前記固定部材を締着するための固定部材締着部が形成され、当該固定部材及び固定部材締着部は、前記固定部材が前記固定部材締着部に締着された状態で、前記固定部材の先端が前記支柱の側面に押し当たるように形成されており、前記横部材取付部は、上方が開口した状態で高さ方向に沿って形成された溝部であり、その溝部における取付部材端部側周縁部が前記固定部材による押し当てにより前記横部材に圧接することを特徴とする。
【００１２】
請求項２記載の発明は、請求項１記載の組立棚用固定装置において、前記固定部材締着部は、雌ねじ孔であり、かつ、前記固定部材は、前記雌ねじ孔に螺入されて先端が前記支柱の側面に当接することにより、前記横部材とともに前記支柱を挟み込むおねじ部材であることを特徴とする。
【００１３】
請求項３記載の発明は、請求項１または２に記載の組立棚用固定装置において、前記取付部材には、前記支柱の側面の一部に圧接することにより、前記取付部材を前記支柱に仮止めするための仮止部が形成されたことを特徴とする。
【００１４】
請求項４記載の発明は、請求項１〜３のいずれか１項に記載の組立棚用固定装置を用いた組立棚であって、前記取付部材の横部材取付部に前記横部材が取り付けられるとともに前記取付部材の固定部材締着部に前記固定部材が締着することによって前記固定部材と前記横部材とで前記支柱を挟み込むことにより、前記横部材が前記支柱に対して固定されたことを特徴とする。
【００１５】
請求項５記載の発明は、請求項４記載の組立棚であって、前記横部材と前記支柱の側面との間にシート材が挟持されることにより、当該シート材が前記支柱に対し固定された
ことを特徴とする。
【００１６】
請求項６記載の発明は、請求項４記載の組立棚において、前記横部材の上端に横枠を構成するための枠材が載せられていることを特徴とする。
【発明の効果】
【００１７】
請求項１記載の発明の構成を採れば、前記取付部材で前記横部材が支柱の側面に取りつけられた状態で、前記取付部材に前記固定部材が締着することにより、前記横部材と前記固定部材とで前記支柱を挟み込んで前記横部材を前記支柱に固定することが可能となる。すなわち、横部材と支柱との固定は、従来のように一方向からの押し付けのみで行われるものではなく、挟み込みによって発生する対向する二方向からの押し付けによって行われる。したがって、前記横部材と支柱との固定力を向上させることが可能となる。また、前記横部材取付部は、上方が開口した溝部であるので、前記横部材を前記取付部に取り付ける作業をより簡単に行うことが可能となる。
【００１８】
請求項２記載の発明の方法を採れば、前記固定部材取付部は雌ねじ孔であり、かつ、前記固定部材は前記雌ねじ孔に取り付けられる雄ねじ部材であるため、前記固定部材取付部及び前記固定部材の構成を簡素化することが可能となる。
【００１９】
請求項３記載の発明の方法を採ると、前記取付部材を前記支柱に仮止めするための仮止め部が形成されているため、前記取付部材を前記支柱に取り付ける際、位置ずれを起こすことを阻止できるため、前記取付部材の取付作業を容易に行うことが可能となる。
【００２０】
請求項４記載の発明の構成を採ると、横部材と支柱との固定は、前記固定部材と前記横部材とで前記支柱を挟み込むことにより行われる。すなわち、前述のとおり、横部材と支柱との固定は、挟み込みによる対向する二方向からの押し付けによって行われるため、前記横部材と支柱との固定力を向上させることが可能となる。
【００２１】
請求項５記載の発明の構成を採ると、前記横部材と前記支柱の側面との間にシート材が挟持されているため、前記シートと前記支柱との固定は、前記挟み込みによって発生する力によって行われる。したがって、前記シートと前記支柱との固定力を向上させることが可能となる。
【００２２】
請求項６記載の発明の構成を採ると、前記横部材の上端に横枠を構成するための枠材が載せられているため、例えば、この枠材にプランタを載せたりする等、より多様な用途に使用することが可能となる。
【発明を実施するための最良の形態】
【００２３】
第一実施形態（図１〜図４参照）
この組立棚１は、水耕栽培を行うためのものであって、図１、図２に図示するとおり、支柱１０と、この支柱１０に取り付けられる横板２０（横部材）と、横板２０を支柱１０に取り付けるための取付部材３０と、横板２０及び取付部材３０を支柱１０に固定するためのボルト４０（固定部材）と、横板２０及び取付部材３０を介して支柱１０に取り付けられるビニルシート５０とを備えている。
【００２４】
支柱１０は、中実又は中空状の円柱であって、その下端部には、この支柱１０を支えるためのベース部材１１が取り付けられている。
【００２５】
横板２０は、略Ｌ字断面の柱状に形成されており、下板２１と、下板２１と略垂直をなす角度に取り付けられる上板２２とを備えている。
【００２６】
取付部材３０は、図２、図３に図示するとおり、平面視において略Ｕ字型の形状をなしている。取付部材３０の中央部分３１は、支柱１０の側面を囲むべく、その内周が支柱１０の径よりも若干大きめの半円状に形成されるとともに、ボルト４０を締着させるための雌ねじ孔３３が形成されている。雌ねじ孔３３が形成されている高さは、略中心となる位置より、若干上方にずれている（図１、図３参照）。両端部３２、３２は、中央部分３１の内周に支柱１０を位置させることを容易にすべく、端部３２同士の間隔が支柱１０の径よりも大きくなるように設定されている。さらに、端部３２の近傍には、上端が開口されるとともに高さ方向に沿って延びている溝部３４が夫々形成されている。
【００２７】
次に、各々の部材の関係について図１、図２を用いて説明する。
【００２８】
この組立棚１は、偶数本の支柱１０が二列に並ぶように配置されている。各々の支柱１０には、複数（本実施形態では二個）の取付部材３０が高さを違えて取り付けられており、これらの取付部材３０の端部３２は、向かい合う支柱１０に向けた方向、すなわち組立棚１の内側に向けて配置されている。また、各々の列に配置された支柱１０同士は、同じ高さに配置された取付部材３０同士を接続するように配置された横板２０により、接続されている。この横板２０は、下板２１が取付部材３０の溝部３４に嵌め込まれることにより、支柱１０の側面に配置されるとともに、上板２２の先端が、組立棚１の内側を向く状態で配置されている。
【００２９】
さらに、下板２１の外側には、ビニルシート５０の端部が配置されており、下板２１とビニルシート５０とは、接着剤等で仮止めされている。
【００３０】
取付部材３０には、前述の通り横板２０が配置されるとともに、雌ねじ孔３３（固定部材定着部）にボルト４０が締着されている。このボルト４０は、この締着によって先端が支柱１０の外側面に押し当たっており、この押し当てによって、取付部材３０を支柱１０の外側方向に引っ張っている。そして、この引っ張りにより、溝部３４の端部側の周縁部３４ａが横板２０に圧接し、この圧接により横板２０及びビニルシート５０が支柱１０の側面に押し付けられる。
【００３１】
すなわち、ボルト４０の先端と横板２０とで支柱１０を挟み込むことで、横板２０を支柱１０に固定するとともに、横板２０と支柱１０とでビニルシート５０を挟みこむことで、ビニルシート５０の端部を支柱１０に固定している。
【００３２】
この場合、横板２０と支柱１０とでビニルシート５０を直接的に挟み込むことによって、ビニルシート５０の端部を支柱１０に固定してもよいが、図１、図２に示すように、平板等の挟着補助部材２９を介して挟みこむようにする、つまり、ビニルシート５０の外側に挟着補助部材２９を配した状態でこれらを横板２０と支柱１０とで挟みこむようにしてもよい。
【００３３】
ビニルシート５０は、中央部分を弛ませた状態で列間に配置され、その両端部は、同じ高さに位置する横板２０の下板２１に仮止めされており、前述のとおり、この横板２０が支柱１０に圧接されることにより、ビニルシート５０も支柱１０に対し固定されている。
【００３４】
この組立棚１を組み立ては、まず、取付部材３０の雌ねじ孔３３にボルト４０を取り付け、次に、この状態の取付部材３０を支柱１０に取り付け、さらに、取付部材３０溝部３４に予めビニルシート５０の端部が仮止めされた横板２０の下板２１を嵌め込み、最後に、ボルト４０を締め付け、このボルト４０の先端と横板２０とで支柱１０を挟み込むことにより行う。
【００３５】
以上の構成を採れば、横板２０とボルト４０の先端とで支柱１０を挟み込むことで、横板２０を支柱１０に固定することが可能となる。すなわち、横板２０と支柱１０との固定は、従来のように、一方向からの押し付けのみで行われるものではなく、挟み込みによって発生する対向する二方向からの押し付けによって行われる。したがって、横板２０と支柱１０との固定力を向上させることが可能となる。
【００３６】
さらに、ビニルシート５０の端部は、横板２０の下板２１と支柱１０との間に挟み込まれているため、前述の横板２０と支柱１０との固定を利用して、ビニルシート５０を支柱１０に対し固定することが出来る。したがって、ビニルシート５０と支柱１０との固定力も向上させることが可能となる。
【００３７】
また、支柱１０を挟み込むためのものとしてボルト４０を使用しているため、簡単な構成で前記挟み込みを行うことが可能となる。
【００３８】
なお、支柱１０は必ずしも、円柱でなくてもよく、例えば、四角柱等であってもよい。かかる場合、取付部材３０の中央部分３１は、平面視において略半円状に形成する代わりにコの字形状に形成されている。すなわち、取付部材３０の中央部分３１は、支柱１０の半分以上の側面を囲む状態に形成されていればよい。
【００３９】
また、雌ねじ孔３３が形成されている高さは、略中心となる位置に形成されていてもよいが、本実施形態のように、中心となる高さより上方向にずれている方が、固定力を強化する上では好ましい。すなわち、前述のように、中心となる高さより上方向にずれている場合には、図４に示すとおり、ボルト４０を締め付けることにより取付部材３０の中央部分３１の下端部３１ａを支柱１０の側面に当接させることができるため、横板２０と支柱１０との固定は、横板２０とボルト４０による挟み込みだけでなく、中央部分３１の下端３１ａと横板２０との挟み込みによっても行うことができ、横板２０と支柱１０との固定力を強化することが可能となる。
【００４０】
以上、本発明の実施形態について説明したが、本発明の具体的構成は前記実施形態に限定されず、特許請求の範囲内で種々変更可能である。以下、他の実施形態について例示する。なお、以下に記載した実施形態において、前記実施形態と同構成のものについては、同一符号を付するのみとし、その詳細な説明は省略する。
【００４１】
第二実施形態（図５、図６参照）
本実施形態の取付部材３０は、取付部材３０の端部３２に当接部３５が形成されている。当接部３５は、溝部３４の端部側の周縁部３４ａと同一面をなし、かつ、取付部材３０の内周側に向く方向と反対方向（図６において、上側に配置される当接部３５は上方、下側に配置される当接部３５が下方）に延びるように形成されている。
【００４２】
溝部３４の基端側の周縁部３４ｂには溝部３６が形成されている。溝部３６は、この周縁部３４ｂを起点とし、取付部材３０の中央部分３１に向けて延びるように形成され、この溝部３６の上方には仮止部３７が形成されている。仮止部３７は、支柱１０に巻きつくべく、取付部材３０の内周側に若干折り曲げられている。
【００４３】
かかる構成を採ると、横板２０の下板２１が、取付部材３０に対して圧接する際、端部側の周縁部３４ａだけでなく、当接部３５にも圧接することになる。従って、下板２１と取付部材３０との接触面積を大きくすることができるため、これらの部材の接触部分がぐらついたりすることを阻止することができ、より確実な固定状態を確保することが可能となる。
【００４４】
さらに、取付部材３０を支柱１０に対し仮止めするための仮止部３７が形成されているため、この取付部材３０を支柱１０に取り付けたとき、仮止部３７で取付部材３０がずり落ちるのを阻止することができるため、取付部材３０を配置するための位置合わせを行う作業が容易となる。したがって、取付部材３０の取付作業を容易に行うことが可能となる。
【００４５】
第三実施形態（図７〜図９参照）
本実施形態は、図７に示すように、プランタ７０を載せるための組立棚１である。
【００４６】
この組立棚１は、図示していないが、略直方体の形状を成しており、その四隅に位置する箇所には各々支柱１０が配置されている。
【００４７】
この組立棚１は、図８、図９に示すように、横板２０の上に、横枠をなす横枠材６０が載せられており、この横枠材６０が隣り合う支柱１０同士を接続している。
【００４８】
取付部材３０は、端部３２、３２が、横枠材６０と略４５度をなす状態、かつ、組立棚１の内部に向くように配置されている。
【００４９】
横板２０は、第一及び第二実施形態と同様、略Ｌ字型断面の柱形状に形成されているが、前述の実施形態と異なり、この横板２０は、隣り合う支柱１０同士を接続していない。また、この横板２０は、横枠材６０が延びる方向と略４５度をなす状態で支柱１０の側面に接触しており、この横板２０の上板２２には雌ねじ孔２３が形成されている。そして、この雌ねじ孔２３には、横板２０と横枠材６０とを固定するボルト２５が螺入されている。
【００５０】
横枠材６０は、木材、プラスチック材等で略四角柱の形状に形成され、その端部は、略４５度をなす角度でカットされるとともに、そのカットされた端部には、支柱１０の径より若干大きい径の半円状の形状を有する切欠６１が形成されている。そして、切欠６１同士が合わさる状態で横枠材６０の端部同士が合わせられることにより、切欠６１から支柱１０が突出し、この状態で、横枠材６０の端部が、横板２０の雌ねじ孔２３に螺入されたボルト２５により各々固定されることにより、横板２０と横枠材６０とがねじ固定されている。なお、ボルト２５の代わりに木ねじやビス等を用いて横板２０と横枠材６０とを固定してもよい。
【００５１】
この組立棚１を使用する際には、図７に示すとおり、横板２０及び取付部材３０を用いて横枠材６０を複数段にわたって配置し、この横枠材６０の上にプランタ７０の上端を載せることにより、プランタ７０を複数段にわたって配置する。
【００５２】
なお、図７において図示するように、温室効果をもたせるべく、組立棚１の全体を覆うように透光性及び保温性を有するビニルシート８０を被せてもよい。
【００５３】
また、図示していないが、この横枠材６０の上に天板等を載せることによって物置棚として使用してもよい。
【００５４】
以上の構成を採ると、この組立棚１は水耕栽培用として使用する他に、様々な用途に使用することができる。
【００５５】
しかも、横板２０と支柱１０との固定は、前述のとおり、横板２０とボルト４０の先端とで支柱１０を挟み込むことで行われているため、横板２０と支柱１０との固定力を向上させることが可能となる。
【００５６】
第四実施形態（図１０〜図１２参照）
本実施形態は、第三実施形態から、横板２０の形状及び横枠材６０を配置する位置関係を変更したものである。なお、第三実施形態と共通する部分については、符号のみを付するものとし、詳細な説明は省略する。
【００５７】
本実施形態の横板２０は、第三実施形態の横板２０のように、略Ｌ字型の柱状に形成される代わりに、図１０に示すとおり、略Ｔ字断面の柱状に形成されている。上板２２は、下板２１が配置されている箇所を基準として、下板２１と略垂直方向に、かつ、両側に延びるように配置されており、その一方２２ａには、横板２０の長さ方向と垂直をなす方向に切欠２４が形成されている。
【００５８】
この切欠２４は、略Ｕ字形状に形成され、その中央部分２４ａが支柱１０よりも若干大きい径の半円状に形成されるとともに、端部２４ｂ同士の間隔も支柱１０の径よりも若干大きい径となるように形成されている。そして、図１１に示すように、切欠２４の中央部分２４ａが支柱１０の略半周を囲むように配置されている。
【００５９】
横枠材６０の端部は、４５度にカットしない状態とし、横枠材６０の端部同士は、略垂直をなす状態で、横板２０の上板２２に配置されている。また、一方の横枠材６０の端部には、支柱１０を通すための挿通孔６２が形成されている。そして、挿通孔６２が形成された横枠材６０は、切欠２４の中央部分２４ａと挿通孔６２との配置位置が対応するように、上板２２の前記一方に位置する部分２２ａ及び他方に位置する部分２２ｂに跨るように配置され、他方の横枠材６０は、上板２２の前記他方に位置する部分２２ｂ上のみに位置するように配置される。さらに、各々の横枠材６０は、横板２０の雌ねじ孔２３に配置されたボルト２５により、横板２０に固定されている。
【００６０】
なお、この横板２０を用いて横枠材６０を支柱１０に固定する構造としては、上記の形態に限定されることはなく、例えば図１２に図示した構成を採ってもよい。この構成は、二本の横枠材６０の端部に略半円状の切欠６１を形成し、これらの切欠６１が横板２０の切欠２４の中央部分２４ａに対応するように、これらの横枠材６０を、前記上板２２の一方に位置する部分２２ａ及び他方に位置する部分２２ｂに跨るように配置する。さらに、別の横枠材６０を、上板２２の他方に位置する部分２２ｂのみに配置するように配置する。
【００６１】
この構成を採ると、一つの横板２０で、三個の横枠材６０を支柱１０に固定することが可能となる。
【００６２】
第五実施形態（図１３〜図１５参照）
図１３に記載した横板２０は三個の横枠材６０を支柱１０に固定するものである。この横板２０の上板２２は、略コノ字型に形成された本体部２２ａと、コノ字の後端から突出する形状に形成された突出部２２ｂとを備えている。本体部２２ａには、四個の雌ねじ孔２３が形成されるとともに、図において下方に位置する辺のうち左右方向の略中央部分には、図において上方に向けて凹む形状に凹部２２ｃが形成されている。また、この凹部２２ｃの底部２２ｄから図において奥側に向けて伸びるように下板２１が形成されている。さらに、突出部２２ｂには、二箇所の雌ねじ孔２３が形成されている。そして、凹部２２ｃが形成されている位置に支柱１０が形成され、これらの雌ねじ孔２３にボルト２５を挿入した状態で本体部２２ａ上において二個の横枠材６０が固定され、突出部２２ｂ上において一個の横枠材６０が固定される。
【００６３】
この横板２０を製造する手順としては、図１４（ａ）〜図１４（ｄ）を用いて説明する。
【００６４】
まず、金属板等の板材の一部を切除することにより本体部２２ａ及び突出部２２ｂの外形を形成する（図１４（ａ）参照）。次に、本体部２２ａ及び突出部２２ｂに孔を開けることにより雌ねじ孔２３を形成する（図１４（ｂ）参照）。さらに、本体部２２ａのうち図において下方に位置する辺の二箇所に、図において上方に向けてスリット２２ｅを入れる（図１４（ｃ）参照。）、最後に、スリット２２ｅ間に形成された舌部２２ｆを、プレス機等で折り曲げ、下板２１を形成する。
【００６５】
なお、前記工程を行う際、例えば金属板を切除する工程と雌ねじ孔２３を形成する工程を同時に行う等のように複数の工程を同時に行ってもよい。また、横板２０と横枠材６０との固定をボルト２５の代わりにビス等を用いる場合、雌ねじ孔２３の代わりに、ねじきりを行わない挿通孔を形成してもよい。
【００６６】
横板２０の構成において上記の構成を採ると、一枚の板材にスリット２２ｅを入れて舌部２２ｆを形成し、この舌部２２ｆを折り曲げることにより下板２１を形成することが出来るため、下板２１と上板２２とを溶接することにより横板２０を形成する場合と比較して、製造効率を向上させることが可能となる。
【００６７】
なお、一枚の板材にスリットを入れて舌部２２ｆを形成し、この舌部２２ｆを折り曲げることにより下板２１を形成することが可能な横板２０の構造としては、図１３、図１４に記載したものに限定されるものではなく、例えば図１５に記載したものが存在する。
【００６８】
図１５に記載した横板２０は、略垂直をなす方向に当接する二個の横枠材６０を支柱１０に固定するものである。
【００６９】
この横板２０の上板２２は、対角する二頂点が欠けた正方形の形状に形成され、四箇所に雌ねじ孔２３が形成されている。そして、この欠けた部分の中央部分には、図１３と同様に凹部２２ｃが形成され、この凹部２２ｃの底部２２ｄには、下板２１が図において奥側に向けて形成されている。
【００７０】
この横板２０の下板２１についても、図１３に記載したものと同様、板材の二箇所にスリットを入れ、このスリットの間に形成された舌部を折り曲げることにより形成される。
【図面の簡単な説明】
【００７１】
【図１】本発明の第一実施形態にかかる組立棚の概略を示した正面図である。
【図２】本発明の第一実施形態にかかる組立棚の概略を示した平面図である。
【図３】本発明の第一実施形態にかかる組立棚に使用する取付部材の概略を示した斜視図である。
【図４】本発明の第一実施形態にかかる組立棚に使用する取付部材の取付状態を示した正面図である。
【図５】本発明の第二実施形態にかかる組立棚に使用する取付部材の概略を示した斜視図である。
【図６】本発明の第二実施形態にかかる組立棚に使用する取付部材の概略を示した平面図である。
【図７】本発明の第三実施形態にかかる組立棚の概略を示した正面図である。
【図８】本発明の第三実施形態にかかる組立棚のコーナ部分の概略を示した平面図である。
【図９】図８のＡＡ断面図である。
【図１０】本発明の第四実施形態にかかる組立棚に使用する横板の概略を示した斜視図である。
【図１１】本発明の第四実施形態にかかる組立棚のコーナ部分の概略を示した平面図である。
【図１２】本発明の第四実施形態にかかる組立棚に使用する横板の他の使用例を示したものである。
【図１３】本発明の第五実施形態にかかる組立棚に使用する横板の概略を示した平面図である。
【図１４】本発明の第五実施形態にかかる組立棚に使用する横板の製造工程の概略を示した平面図及び右側面図である。
【図１５】本発明の第五実施形態にかかる組立棚に使用する横板の他の形態を示したものである。
【図１６】従来技術の組立棚の一例にかかる斜視図である。
【図１７】従来技術の組立棚の他の例にかかる斜視図である。
【図１８】従来技術の組立棚の他の例のうち、横部材と支柱との接続部分を示した斜視図である。
【図１９】従来技術の組立棚の他の例のうち、横部材と支柱との接続状態を保持するためのバネ材を示した平面図である。
【符号の説明】
【００７２】
１ 組立棚
１０ 支柱
２０ 横板（横部材）
３０ 取付部材
３１ 中央部分
３２ 端部
３３ 雌ねじ孔（固定部材締着部）
３４ 溝部（横部材取付部）
３７ 仮止部
４０ ボルト（固定部材）
５０ ビニルシート
６０ 横枠材（枠材）
【図１】
0004621431.tif 000002
【図２】
0004621431.tif 000003
【図３】
0004621431.tif 000004
【図４】
0004621431.tif 000005
【図５】
0004621431.tif 000006
【図６】
0004621431.tif 000007
【図７】
0004621431.tif 000008
【図８】
0004621431.tif 000009
【図９】
0004621431.tif 000010
【図１０】
0004621431.tif 000011
【図１１】
0004621431.tif 000012
【図１２】
0004621431.tif 000013
【図１３】
0004621431.tif 000014
【図１４】
0004621431.tif 000015
【図１５】
0004621431.tif 000016
【図１６】
0004621431.tif 000017
【図１７】
0004621431.tif 000018
【図１８】
0004621431.tif 000019
【図１９】
0004621431.tif 000020